(57)【特許請求の範囲】
【請求項１】
医療従事者が携帯する記憶媒体から識別情報を読み取る読取装置と、
患者のベッドの近傍に設置され、患者の所定の状態を検出するセンサーと、
前記センサーが前記患者の所定の状態を検出すると、当該患者を担当する複数の医療従事者の各々の携帯端末に対してナースコールの呼び出しの報知を行う報知部と、
前記センサーが前記所定の状態を検出したときに、当該検出がなされた病室において、前記読取装置が前記記憶媒体から前記識別情報を読み取った状態である場合、当該センサーに対応する患者を担当する複数の医療従事者の各々の携帯端末に対して、前記読取装置が読み取った前記識別情報に対応する医療従事者を特定可能な情報と、前記所定の状態を検出したセンサーに対応する患者を特定可能な情報と、前記所定の状態の検出がなされた病室を特定可能な情報とを表示内容に含んだ報知を、前記報知部に行わせる報知制御部と
を備えることを特徴とするナースコールシステム。
【請求項２】
前記読取装置は、病室毎に設置されており、
前記報知制御部は、前記センサーが前記所定の状態を検出したときに、当該検出がなされた病室に対して設置されている前記読取装置が前記記憶媒体から前記識別情報を読み取った状態である場合、当該センサーに対応する患者を担当する複数の医療従事者の各々の携帯端末に対して、前記医療従事者を特定可能な情報と、前記患者を特定可能な情報と、前記病室を特定可能な情報とを表示内容に含んだ報知を、前記報知部に行わせる
ことを特徴とする請求項１に記載のナースコールシステム。
【請求項３】
前記読取装置は、ベッド毎に設置されており、
前記報知制御部は、前記センサーが前記所定の状態を検出したときに、当該検出がなされた病室のいずれかのベッドに対して設置されている前記読取装置が前記記憶媒体から前記識別情報を読み取った状態である場合、当該センサーに対応する患者を担当する複数の医療従事者の各々の携帯端末に対して、前記医療従事者を特定可能な情報と、前記患者を特定可能な情報と、前記病室を特定可能な情報とを表示内容に含んだ報知を、前記報知部に行わせる
ことを特徴とする請求項１に記載のナースコールシステム。
【発明の詳細な説明】
【技術分野】
【０００１】
本発明は、ナースコールシステムに関し、特に、ベッドの近傍に設置されたセンサーが患者の所定の状態を検出すると医療従事者に対してナースコールの呼び出しがなされるように構成されたナースコールシステムに関する。
【背景技術】
【０００２】
一般に、病院や介護施設などでは、患者や被介護者（以下、単に「患者」と言う）と医師や看護師、介護師（以下、単に「医療従事者」と言う）との連絡に、ナースコールシステムが用いられている。この種のナースコールシステムにおいて、患者がナースコール子機の呼出ボタンを押下して呼び出しを行うと、呼び出しが行われたことがナースコール親機にて報知される。
【０００３】
また、この種のナースコールシステムにおいて、ベッドの近傍に患者の所定の状態を検知するマットセンサーを設置し、このマットセンサーが患者の所定の状態（例えば、患者の離床、転倒、転落等）を検知すると、その患者を担当する複数の医療従事者の各々の携帯端末に対し、自動的にナースコールの呼び出しの報知を行うように構成される場合がある。
【０００４】
しかしながら、このように構成されたナースコールシステムでは、マットセンサーが患者の所定の状態を誤って検出した場合（例えば、医療従事者が処置を行っているときに誤ってマットセンサーを踏んでしまった場合等）であっても、その患者を担当する複数の医療従事者の各々の携帯端末にナースコールの呼び出しが報知されてしまい、複数の医療従事者が現場に駆けつけてしまうといった問題が生じていた。
【０００５】
そこで、下記特許文献１には、患者のベッドの近傍に設置されたセンサーが所定の状態を検出すると呼出信号を出力するようになされたナースコールシステムにおいて、上述のような問題を解決するための技術が開示されている。特許文献１に記載のナースコールシステムでは、病室の出入り口近傍に設置された識別情報読取装置が、医療従事者が携行している識別情報発信装置から識別情報を読み取ってから、センサーによる検出が行われた場合、タイマーによる計時を開始する。そして、タイマーによって計測された時間が所定時間になるまでは、センサーによる検出が行われても、識別情報読取装置が読み取った識別情報に関連付けて記憶されている携帯端末に対してのみ呼び出しを行うようになされている。この技術によれば、既に病室にて医療従事者が患者の看護をしている場合には、他の医療従事者への報知が停止されるため、全ての医療従事者が現場に駆けつけてしまうといった問題が生じないようにすることができる。
【先行技術文献】
【特許文献】
【０００６】
【特許文献１】特開２０１１−９２５１９号公報
【発明の概要】
【発明が解決しようとする課題】
【０００７】
しかしながら、上記特許文献１の技術では、タイマーによって計測された時間が所定時間になるまでは、患者自身による所定の状態がセンサーで検出された場合であっても、センサーの検出が行われたことを他の医療従事者に通知することができない。このため、センサーによって所定の状態が検出された患者に対し、複数の医療従事者で対応する必要がある場合や、同一の病室内で複数の患者に対応する必要がある場合等には、病室にいる医療従事者が他の医療従事者を呼び出す必要があるため、迅速に対応することができないといった問題が生じていた。
【０００８】
本発明は、このような問題を解決するために成されたものであり、センサーが所定の状態を検出した際に、報知を受けた医療事業者が対応の必要性を判断して迅速に対応できるようにすることを目的とする。
【課題を解決するための手段】
【０００９】
上記した課題を解決するために、本発明では、患者のベッドの近傍に設置されたセンサーが所定の状態を検出したときに、当該検出がなされた病室において、医療従事者が携帯する記憶媒体から読取装置が識別情報を読み取った状態である場合、当該センサーに対応する患者を担当する複数の医療従事者の各々の携帯端末に対して、読取装置が読み取った識別情報に対応する医療従事者を特定可能な情報と、所定の状態を検出したセンサーに対応する患者を特定可能な情報と、所定の状態の検出がなされた病室を特定可能な情報とを表示内容に含んだ報知を行うようにしている。
【発明の効果】
【００１０】
上記のように構成した本発明によれば、所定の状態がセンサーによって検出されたときに、その検出がなされた病室に医療従事者が在室している場合、そのセンサーに対応する患者を担当する複数の医療従事者の各々の携帯端末において、患者を特定可能な情報、病室を特定可能な情報、および、その病室に在室している医療従事者を特定可能な情報が表示されるようになる。これにより、当該報知を受けた複数の医療従事者の各々は、所定の状態が検出された可能性のある患者と、その患者の病室と、その病室に医療従事者が在室しているか否かとを把握することができるため、これらの情報に基づいて、自身がその病室に駆けつけて対応を行うべきか否かを判断することができる。このため、本発明によれば、センサーが所定の状態を検出した際に、報知を受けた医療事業者が対応の必要性を判断して迅速に対応することができる。
【図面の簡単な説明】
【００１１】
【図１】本発明の一実施形態に係るナースコールシステムの全体構成例を示す図である。
【図２】本発明の一実施形態に係るナースコール親機の機能構成例を示すブロック図である。
【図３】本発明の一実施形態に係るナースコール親機による処理の手順を示すフローチャートである。
【図４】本発明の一実施形態に係るナースコールシステムにおける読取装置の配置例を示す図である。
【図５】本発明の一実施形態に係るナースコールシステムによるナースコールの呼び出しの具体例を示す図である。
【図６】本発明の一実施形態に係るナースコールシステムにおける読取装置の配置例（変形例）を示す図である。
【図７】本発明の一実施形態に係るナースコールシステムによるナースコールの呼び出しの具体例（変形例）を示す図である。
【発明を実施するための形態】
【００１２】
以下、本発明の一実施形態を図面に基づいて説明する。
【００１３】
〔ナースコールシステムの全体構成〕
図１は、本発明の一実施形態に係るナースコールシステムの全体構成例を示す図である。なお、ここでは病院に設置される看護支援用のナースコールシステムの例を説明するが、本実施形態のナースコールシステムは、これに限定されない。例えば、本実施形態のナースコールシステムは、介護施設等に設置されるナースコールシステムであってもよい。
【００１４】
図１に示すように、本実施形態に係るナースコールシステムは、ナースコール親機１、制御機２、廊下灯３、壁埋込形子機４、センサー５、ハンディナースコール主装置６、無線基地局７、携帯端末８、読取装置９、および記憶媒体１０を備えて構成されている。
【００１５】
ナースコール親機１は、患者（ナースコール子機）からの呼び出しを受けて所定の報知処理を行うものであり、例えばナースセンタに設置される。制御機２は、ナースコール親機１と廊下灯３との間に配置され、通話やデータの送受信に関する制御を行う。廊下灯３は、病室内の患者名が表示されるとともに、病室内の患者が看護師の呼び出しを行うと、呼び出しが行われたことが表示されるようになっている。
【００１６】
壁埋込形子機４は、病室の各ベッドサイドの壁に埋め込み設置される。この壁埋込形子機４は、廊下灯３に接続されている。壁埋込形子機４は、患者が看護師を呼び出すための呼出ボタン、患者が看護師と会話を行う際に使用するマイクおよびスピーカ、センサー５を接続するための接続端子を備えている。
【００１７】
センサー５は、各ベッドの近傍に設けられており、患者の所定の状態を検出する。本実施形態では、センサー５として、ベッドの周囲の床面に設置されるマットセンサーを用いている。すなわち、センサー５は、患者によって踏まれることにより、患者の所定の状態（例えば、患者の離床、転倒、転落等）を検出することができる。
【００１８】
センサー５は、壁埋込形子機４に接続されている。センサー５は、患者の所定の状態を検出すると、壁埋込形子機４、廊下灯３および制御機２を介して、自身のセンサーＩＤをナースコール親機１へ送信する。これに応じて、ナースコール親機１は、ハンディナースコール主装置６および無線基地局７を介して、受信したセンサーＩＤによって特定される患者を担当する複数の看護師の各々の携帯端末８に対して、ナースコールの呼び出しを報知する。
【００１９】
ハンディナースコール主装置６は、看護師が携帯する携帯端末８を用いた通話やデータの送受信に関する制御を行う。このハンディナースコール主装置６は、例えば病院内の通信センタに設置され、ナースコール親機１と接続されている。無線基地局７は、携帯端末８との間で通話やデータの無線通信をするためのものであり、ハンディナースコール主装置６と接続されている。
【００２０】
読取装置９は、病室において、看護師が携帯する記憶媒体１０から、その看護師の看護師ＩＤを読み取る。例えば、読取装置９は、無線タグ読取装置（記憶媒体１０が無線タグの場合）、磁気カード読取装置（記憶媒体１０が磁気カードの場合）等を用いることができる。本実施形態では、読取装置９は、図４にて後述するように、病室毎に設置されている。
【００２１】
読取装置９は、廊下灯３に接続されている。読取装置９は、記憶媒体１０から看護師ＩＤを読み取ると、この看護師ＩＤと、自身の設置場所の識別番号（部屋番号）とを、廊下灯３を介してナースコール親機１へ送信する。ナースコール親機１は、受信した看護師ＩＤと部屋番号とを対応付けて状態記憶部２７（図２参照）に記憶させておく。これにより、ナースコール親機１は、ある病室にてセンサー５が患者の所定の状態を検出したときに、その病室の部屋番号と看護師ＩＤとが対応付けて状態記憶部２７に記憶されていれば、この看護師ＩＤにより、その病室に在室している看護師を特定することができるようになっている。
【００２２】
〔ナースコール親機１の機能構成〕
図２は、本発明の一実施形態に係るナースコール親機１の機能構成例を示すブロック図である。図２に示すように、本実施形態に係るナースコール親機１は、ディスプレイ２０、スピーカ２１、患者情報記憶部２２および看護師情報記憶部２３を備えている。また、本実施形態に係るナースコール親機１は、その機能構成として、受信部２４、報知制御部２５、報知部２６および状態記憶部２７を備えている。
【００２３】
なお、上記各機能ブロック２４〜２７は、ハードウェア構成、ＤＳＰ、ソフトウェアの何れによっても実現することが可能である。例えばソフトウェアによって実現する場合、上記各機能ブロック２４〜２７は、実際にはコンピュータのＣＰＵあるいはＭＰＵ、ＲＡＭ、ＲＯＭなどを備えて構成され、ＲＡＭ、ＲＯＭ、ハードディスク、半導体メモリ等に記憶されたプログラムが動作することによって実現できる。
【００２４】
患者情報記憶部２２は、各患者の患者情報が示された患者情報テーブルを記憶する。患者情報は、例えば、患者ＩＤ、患者名、部屋番号、ベッド番号、センサーＩＤ、その患者を担当する複数の看護師の看護師ＩＤ等を含んで構成されている。
【００２５】
看護師情報記憶部２３は、各看護師の看護師情報が示された看護師情報テーブルを記憶する。看護師情報は、例えば、看護師ＩＤ、看護師名、携帯端末番号等を含んで構成されている。
【００２６】
受信部２４は、センサー５が所定の状態を検出したとき、そのセンサー５から送信されたセンサーＩＤと、廊下灯３にて追加された部屋番号とを受信する。また、受信部２４は、読取装置９が記憶媒体１０から看護師ＩＤを読み取ったとき、その読取装置９から送信された看護師ＩＤと、その読取装置９の設置場所の識別番号（部屋番号）とを受信する。
【００２７】
例えば、受信部２４は、看護師が病室に入室する際に、読取装置９がその看護師の記憶媒体１０から看護師ＩＤを読み取ったとき、看護師ＩＤと部屋番号とを受信する。その後、受信部２４は、看護師が病室から退室する際に、読取装置９がその看護師の記憶媒体１０から看護師ＩＤを再び読み取ったとき、看護師ＩＤと部屋番号とを再び受信する。
【００２８】
状態記憶部２７は、看護師ＩＤおよび部屋番号を受信部２４が受信した場合、当該看護師ＩＤと部屋番号とを対応付けて記憶する。これにより、その部屋番号の病室にその看護師ＩＤの看護師が在室していることを特定することが可能となる。また、状態記憶部２７は、すでに状態記憶部２７に記憶されている看護師ＩＤおよび部屋番号を受信部２４が再び受信した場合、当該看護師ＩＤおよび部屋番号を状態記憶部２７から消去する。これにより、その部屋番号の病室からその看護師ＩＤの看護師が退室したことを特定することが可能となる。
【００２９】
報知制御部２５は、報知部２６によるナースコールの呼び出しの報知を制御する。具体的には、報知制御部２５は、センサー５が所定の状態を検出して、そのセンサー５から送信されたセンサーＩＤを受信部２４が受信すると、ディスプレイ２０およびスピーカ２１からのナースコールの呼び出しの報知を報知部２６に行わせる。
【００３０】
加えて、報知制御部２５は、患者情報記憶部２２および看護師情報記憶部２３を参照することにより、受信したセンサーＩＤによって特定される患者を担当する複数の看護師を特定する。そして、報知制御部２５は、特定した複数の看護師の各々の携帯端末８に対するナースコールの呼び出しの報知を報知部２６に行わせる。
【００３１】
ここで、報知制御部２５は、受信部２４がセンサーＩＤおよび部屋番号を受信したとき、その部屋番号が看護師ＩＤとともに状態記憶部２７に記憶されているか否かを判断する。
【００３２】
そして、報知制御部２５は、受信部２４が受信した部屋番号が看護師ＩＤとともに状態記憶部２７に記憶されている（すなわち、センサー５による検出がなされた病室に看護師が在室している）と判断した場合、その看護師ＩＤに対応する看護師名を看護師情報記憶部２３から読み出す。また、報知制御部２５は、受信部２４が受信したセンサーＩＤに対応する患者の患者名およびベッド番号を患者情報記憶部２２から読み出す。そして、報知制御部２５は、看護師情報記憶部２３から読み出した看護師名（医療従事者を特定可能な情報の一例）と、患者情報記憶部２２から読み出した患者名およびベッド番号（患者を特定可能な情報の一例）と、受信部２４が受信した部屋番号（病室を特定可能な情報の一例）とを表示内容に含んだナースコールの呼び出しの報知を報知部２６に行わせる。
【００３３】
一方、報知制御部２５は、受信部２４が受信した部屋番号が看護師ＩＤとともに状態記憶部２７に記憶されていない（すなわち、センサー５による検出がなされた病室に看護師が在室していない）と判断した場合、受信部２４が受信したセンサーＩＤに対応する患者の患者名およびベッド番号を患者情報記憶部２２から読み出す。そして、報知制御部２５は、患者情報記憶部２２から読み出した患者名およびベッド番号と、受信部２４が受信した部屋番号とを表示内容に含んだナースコールの呼び出しの報知を報知部２６に行わせる。
【００３４】
〔ナースコール親機１による処理の手順〕
図３は、本発明の一実施形態に係るナースコール親機１による処理の手順を示すフローチャートである。図３に例示する処理は、例えば、センサー５が壁埋込形子機４に接続され、当該センサー５によって患者の所定の状態の監視が開始されたとき、ナースコール親機１によって実行される。
【００３５】
まず、受信部２４が、読取装置９から送信された看護師ＩＤおよび部屋番号を受信したか否かを判断する（ステップＳ３０２）。ここで、看護師ＩＤおよび部屋番号を受信していないと受信部２４が判断した場合（ステップＳ３０２：Ｎｏ）、ナースコール親機１は、ステップＳ３０６へ処理をすすめる。
【００３６】
一方、看護師ＩＤおよび部屋番号を受信したと受信部２４が判断した場合（ステップＳ３０２：Ｙｅｓ）、状態記憶部２７が、受信部２４が受信した看護師ＩＤと部屋番号とを対応付けて記憶する（ステップＳ３０４）。そして、ナースコール親機１は、ステップＳ３０６へ処理をすすめる。
【００３７】
ステップＳ３０６では、受信部２４が、センサー５から送信されたセンサーＩＤおよび廊下灯３から送信された部屋番号を受信したか否かを判断する（ステップＳ３０６）。ここで、センサーＩＤおよび部屋番号を受信していないと受信部２４が判断した場合（ステップＳ３０６：Ｎｏ）、受信部２４は、ステップＳ３０２の判断処理を再度実行する。
【００３８】
一方、センサーＩＤおよび部屋番号を受信したと受信部２４が判断した場合（ステップＳ３０６：Ｙｅｓ）、報知制御部２５が、受信部２４が受信したセンサーＩＤに対応する患者名およびベッド番号を患者情報記憶部２２から読み出す（ステップＳ３０８）。そして、報知制御部２５が、受信部２４が受信した部屋番号が看護師ＩＤと対応付けて状態記憶部２７に記憶されているか否かを判断する（ステップＳ３１０）。
【００３９】
ここで、受信部２４が受信した部屋番号が看護師ＩＤと対応付けて状態記憶部２７に記憶されていないと報知制御部２５が判断した場合（ステップＳ３１０：Ｎｏ）、報知制御部２５の制御により、報知部２６が、ステップＳ３０８で読み出した患者名およびベッド番号と、受信部２４が受信した部屋番号とをディスプレイ２０による表示内容に含んだ、通常のナースコールの呼び出しの報知を、ディスプレイ２０およびスピーカ２１に行わせる（ステップＳ３１２）。
【００４０】
また、報知制御部２５の制御により、報知部２６が、受信部２４が受信したセンサーＩＤに対応する患者を担当する複数の看護師の各々の携帯端末８に対し、ステップＳ３０８で読み出した患者名およびベッド番号と、受信部２４が受信した部屋番号とを表示内容に含んだ、通常のナースコールの呼び出しの報知を行う（ステップＳ３１４）。そして、ナースコール親機１は、図３に示す一連の処理を終了する。
【００４１】
一方、受信部２４が受信した部屋番号が看護師ＩＤと対応付けて状態記憶部２７に記憶されていると報知制御部２５が判断した場合（ステップＳ３１０：Ｙｅｓ）、報知制御部２５が、その看護師ＩＤに対応する看護師名を看護師情報記憶部２３から読み出す（ステップＳ３１６）。
【００４２】
そして、報知制御部２５の制御により、報知部２６が、ステップＳ３０８で読み出した患者名およびベッド番号と、受信部２４が受信した部屋番号と、ステップＳ３１６で読み出した看護師名とをディスプレイ２０による表示内容に含んだ、ナースコールの呼び出しの報知を、ディスプレイ２０およびスピーカ２１に行わせる（ステップＳ３１８）
【００４３】
また、報知制御部２５の制御により、報知部２６が、受信部２４が受信したセンサーＩＤに対応する患者を担当する複数の看護師の各々の携帯端末８に対し、ステップＳ３０８で読み出した患者名およびベッド番号と、受信部２４が受信した部屋番号と、ステップＳ３１６で読み出した看護師名を表示内容に含んだ、ナースコールの呼び出しの報知を行う（ステップＳ３２０）。
【００４４】
その後、受信部２４が、読取装置９から送信された看護師ＩＤおよび部屋番号（ステップＳ３０２で受信したものと同じもの）を受信したか否かを判断する（ステップＳ３２２）。ここで、看護師ＩＤおよび部屋番号を受信したと受信部２４が判断した場合（ステップＳ３２２：Ｙｅｓ）、状態記憶部２７が、受信部２４が受信した看護師ＩＤと部屋番号とを状態記憶部２７から削除する（ステップＳ３２４）。そして、ナースコール親機１は、図３に示す一連の処理を終了する。
【００４５】
一方、看護師ＩＤおよび部屋番号を受信していないと受信部２４が判断した場合（ステップＳ３２２：Ｎｏ）、受信部２４が、センサー５から送信されたセンサーＩＤおよび廊下灯３から送信された部屋番号を受信したか否かを判断する（ステップＳ３２６）。
【００４６】
ここで、センサーＩＤおよび部屋番号を受信していないと受信部２４が判断した場合（ステップＳ３２６：Ｎｏ）、受信部２４が、ステップＳ３２２の判断処理を再度実行する。一方、センサーＩＤおよび部屋番号を受信したと受信部２４が判断した場合（ステップＳ３２６：Ｙｅｓ）、ナースコール親機１は、ステップＳ３０８以降の処理を再度実行する。
【００４７】
〔読取装置９の配置例〕
図４は、本発明の一実施形態に係るナースコールシステムにおける読取装置の配置例を示す図である。図４では、病室毎に読取装置９を設置する例を表している。
【００４８】
図４に示すように、病室（部屋番号：１０１）には、４つのベッド（ベッド番号：１０１−１〜１０１−４）が配置されている。この病室（部屋番号：１０１）の入り口には、読取装置９が設置されている。この読取装置９は、看護師が病室（部屋番号：１０１）に入室および退室する際に、その看護師が携帯する記憶媒体１０から、その看護師の看護師ＩＤを読み取る。そして、読取装置９は、記憶媒体１０から読み取った看護師ＩＤと、当該読取装置９が設置されている病室の部屋番号（１０１）とを、ナースコール親機１へ送信する。
【００４９】
看護師が入室したときに読取装置９が読み取った看護師ＩＤが部屋番号とともにナースコール親機１へ送信されると、ナースコール親機１では、その看護師ＩＤと部屋番号とが対応付けられて状態記憶部２７に記憶される。一方、看護師が退室したときに読取装置９が読み取った看護師ＩＤが部屋番号とともにナースコール親機１へ送信されると、ナースコール親機１では、その看護師ＩＤと部屋番号とが状態記憶部２７から削除される。
【００５０】
また、図４に示すように、病室（部屋番号：１０１）の各ベッド（ベッド番号：１０１−１〜１０１−４）の周囲の床面には、センサー５（マットセンサー）が設置されている。センサー５は、患者によって踏まれることによって患者の所定の状態（例えば、患者の離床、転倒、転落等）を検出すると、自身のセンサーＩＤ（１０１−１〜１０１−４のいずれか）をナースコール親機１へ送信するようになっている。
【００５１】
〔ナースコールの呼び出しの具体例〕
図５は、本発明の一実施形態に係るナースコールシステムによるナースコールの呼び出しの具体例を示す図である。図５では、図４に示した病室（部屋番号：１０１）において、当該病室（部屋番号：１０１）に設置されている読取装置９が、看護師（看護師名：Ｘさん）の記憶媒体１０から看護師ＩＤ（０００１）を読み取った後に、患者（患者名：Ａさん）のベッド（ベッド番号：１０１−１）に対応するセンサー５（センサーＩＤ：１０１−１）が、所定の状態を検出した例を表している。図５（ａ）は各装置間のデータの流れを示している。図５（ｂ）は、ディスプレイ２０および携帯端末８にて表示される呼出画面の一例を示している。
【００５２】
まず、図５（ａ）に示すように、病室（部屋番号：１０１）の入り口において、読取装置９が記憶媒体１０から看護師ＩＤ（０００１）を読み取ると、読取装置９は、読み取った看護師ＩＤ（０００１）と、自身が設置されている病室の部屋番号（１０１）とをナースコール親機１へ送信する。ナースコール親機１では、部屋番号（１０１）と看護師ＩＤ（０００１）とを対応付けて状態記憶部２７に記憶させておく。
【００５３】
その後、ベッド（ベッド番号：１０１−１）に対応するセンサー５が所定の状態を検出すると、当該センサー５は、自身のセンサーＩＤ（１０１−１）を廊下灯３を介してナースコール親機１へ送信する。このとき、廊下灯３からは、部屋番号（１０１）が追加されてナースコール親機１へ送信される。
【００５４】
ナースコール親機１において、センサー５から送信されたセンサーＩＤ（１０１−１）および廊下灯３にて追加された部屋番号（１０１）を受信部２４が受信すると、報知制御部２５が、受信したセンサーＩＤ（１０１−１）に対応する患者の患者名（Ａさん）およびベッド番号（１０１−１）を患者情報記憶部２２から読み出す。
【００５５】
このとき、受信部２４が廊下灯３から受信した部屋番号（１０１）には、看護師ＩＤ（０００１）が対応付けられて状態記憶部２７に記憶されている。このため、報知制御部２５は、さらに、看護師ＩＤ（０００１）に対応する看護師名（Ｘさん）を看護師情報記憶部２３から読み出す。
【００５６】
そして、報知制御部２５の制御により、報知部２６が、受信部２４が受信したセンサーＩＤ（１０１−１）に対応する患者（患者名：Ａさん）を担当する複数の看護師の各々の携帯端末８に対して、患者情報記憶部２２から読み出した患者名（Ａさん）およびベッド番号（１０１−１）と、受信部２４が廊下灯３から受信した部屋番号（１０１）と、看護師情報記憶部２３から読み出した看護師名（Ｘさん）とを表示内容に含んだナースコール呼び出しの報知を行う。
【００５７】
また、報知制御部２５の制御により、報知部２６が、患者情報記憶部２２から読み出した患者名（Ａさん）およびベッド番号（１０１−１）と、受信部２４が廊下灯３から受信した部屋番号（１０１）と、看護師情報記憶部２３から読み出した看護師名（Ｘさん）とを表示内容に含んだナースコール呼び出しの報知を、ディスプレイ２０およびスピーカ２１に行わせる。
【００５８】
すなわち、スピーカ２１および各携帯端末８から、所定の呼出音が出力される。また、ディスプレイ２０および各携帯端末８にて、図５（ｂ）に示すように、部屋番号（１０１）と、ベッド番号（１０１−１）と、患者名（Ａさん）と、看護師名（Ｘさん）とを表示内容に含んだ呼出画面が表示される。
【００５９】
これにより、携帯端末８によってナースコール呼び出しの報知を受けた複数の看護師の各々は、所定の状態が検出された可能性のある患者（Ａさん）と、その患者の病室（部屋番号：１０１）と、その病室に看護師（Ｘさん）が在室していることを把握することができる。このため、複数の看護師の各々は、これらの情報に基づいて、例えば患者の病状や看護師の経験度等を鑑み、自身がその病室に駆けつけて対応を行うべきか否かを判断することができる。したがって、本実施形態によれば、センサー５が所定の状態を検出した際に、報知を受けた医療事業者が対応の必要性を判断して迅速に対応することができる。
【００６０】
なお、上記例において、病室（部屋番号：１０１）に看護師（Ｘさん）が在室していない場合には、ディスプレイ２０および各携帯端末８にて、部屋番号（１０１）と、ベッド番号（１０１−１）と、患者名（Ａさん）とを表示内容に含んだ呼出画面が表示される。すなわち、看護師名は表示されない。この場合、複数の看護師の各々は、その病室（部屋番号：１０１）に看護師が在室していないことを把握することができる。これにより、複数の看護師の各々は、自身がその病室に駆けつけて対応を行うべきであると判断することができる。
【００６１】
〔変形例〕
次に、図６および図７を参照して本発明に係る実施形態の変形例について説明する。
【００６２】
〔読取装置９の配置例（変形例）〕
図６は、本発明の一実施形態に係るナースコールシステムにおける読取装置の配置例（変形例）を示す図である。図６では、ベッド毎に読取装置９を設置する例を表している。
【００６３】
図６に示すように、病室（部屋番号：１０２）には、４つのベッド（ベッド番号：１０２−１〜１０２−４）が配置されている。この病室（部屋番号：１０２）では、４つのベッド（ベッド番号：１０２−１〜１０２−４）の各々に対し、読取装置９が設置されている。各読取装置９は、対応する壁埋込形子機４に接続されている。
【００６４】
各読取装置９は、看護師がベッドに近づいて患者に処置を行う際、および、処置が終了してベッドから離れる際に、その看護師が携帯する記憶媒体１０から、その看護師の看護師ＩＤを読み取る。または、各読取装置９は、看護師がベッドの近傍（読取装置９による無線通信可能な範囲内）にいる間、その看護師の看護師ＩＤを読み取り続ける。
【００６５】
そして、各読取装置９は、壁埋込形子機４、廊下灯３、制御器２を介して、記憶媒体１０から読み取った看護師ＩＤと、当該読取装置９が設置されているベッドのベッド番号（１０２−１〜１０２−４のいずれか）とを、ナースコール親機１へ送信する。
【００６６】
看護師がベッドに近づいたときに読取装置９が読み取った看護師ＩＤがベッド番号とともにナースコール親機１へ送信されると、ナースコール親機１では、その看護師ＩＤとそのベッド番号に対応する部屋番号とが対応付けられて状態記憶部２７に記憶される。一方、看護師がベッドから離れたときに読取装置９が読み取った看護師ＩＤがベッド番号とともにナースコール親機１へ送信されると、ナースコール親機１では、その看護師ＩＤとそのベッド番号に対応する部屋番号とが状態記憶部２７から削除される。
【００６７】
または、看護師がベッド（読取装置９による無線通信可能な範囲内）から離れたときに、読取装置９が看護師ＩＤを読み取れなくなり、看護師ＩＤがナースコール親機１へ送信されなくなると、ナースコール親機１では、その看護師ＩＤとそのベッド番号に対応する部屋番号とが状態記憶部２７から削除される。
【００６８】
また、図６に示すように、病室（部屋番号：１０２）の各ベッド（ベッド番号：１０２−１〜１０２−４）の周囲の床面には、センサー５（マットセンサー）が設置されている。センサー５は、患者によって踏まれることによって患者の所定の状態（例えば、患者の離床、転倒、転落等）を検出すると、自身のセンサーＩＤ（１０２−１〜１０２−４のいずれか）をナースコール親機１へ送信するようになっている。
【００６９】
〔ナースコールの呼び出しの具体例（変形例）〕
図７は、本発明の一実施形態に係るナースコールシステムによるナースコールの呼び出しの具体例（変形例）を示す図である。図７では、図６に示した病室（部屋番号：１０２）において、ベッド（ベッド番号：１０２−２）に設置されている読取装置９が、看護師（看護師名：Ｙさん）の記憶媒体１０から看護師ＩＤ（０００２）を読み取った後に、患者（患者名：Ｂさん）のベッド（ベッド番号：１０２−１）に対応するセンサー５（センサーＩＤ：１０２−１）が、所定の状態を検出した例を表している。図７（ａ）は各装置間のデータの流れを示している。図７（ｂ）は、ディスプレイ２０および携帯端末８にて表示される呼出画面の一例を示している。
【００７０】
まず、図７（ａ）に示すように、ベッド（ベッド番号：１０２−２）の近傍において、読取装置９が記憶媒体１０から看護師ＩＤ（０００２）を読み取ると、読取装置９は、読み取った看護師ＩＤ（０００２）と、自身が設置されているベッドのベッド番号（１０２−２）とをナースコール親機１へ送信する。ナースコール親機１では、ベッド番号（１０２−２）に対応する部屋番号（１０２）と看護師ＩＤ（０００２）とを対応付けて状態記憶部２７に記憶させておく。
【００７１】
その後、ベッド（ベッド番号：１０２−１）に対応するセンサー５が所定の状態を検出すると、当該センサー５は、自身のセンサーＩＤ（１０２−１）を廊下灯３を介してナースコール親機１へ送信する。このとき、廊下灯３からは、部屋番号（１０２）が追加されてナースコール親機１へ送信される。
【００７２】
ナースコール親機１において、センサー５から送信されたセンサーＩＤ（１０２−１）および廊下灯３にて追加された部屋番号（１０２）を受信部２４が受信すると、報知制御部２５が、受信したセンサーＩＤ（１０２−１）に対応する患者の患者名（Ｂさん）およびベッド番号（１０２−１）を患者情報記憶部２２から読み出す。
【００７３】
このとき、受信部２４が廊下灯３から受信した部屋番号（１０２）には、看護師ＩＤ（０００２）が対応付けられて状態記憶部２７に記憶されている。このため、報知制御部２５は、さらに、看護師ＩＤ（０００２）に対応する看護師名（Ｙさん）を看護師情報記憶部２３から読み出す。
【００７４】
そして、報知制御部２５の制御により、報知部２６が、受信部２４が受信したセンサーＩＤ（１０２−１）に対応する患者（患者名：Ｂさん）を担当する複数の看護師の各々の携帯端末８に対して、患者情報記憶部２２から読み出した患者名（Ｂさん）およびベッド番号（１０２−１）と、受信部２４が廊下灯３から受信した部屋番号（１０２）と、看護師情報記憶部２３から読み出した看護師名（Ｙさん）とを表示内容に含んだナースコール呼び出しの報知を行う。
【００７５】
また、報知制御部２５の制御により、報知部２６が、患者情報記憶部２２から読み出した患者名（Ｂさん）およびベッド番号（１０２−１）と、受信部２４が廊下灯３から受信した部屋番号（１０２）と、看護師情報記憶部２３から読み出した看護師名（Ｙさん）とをディスプレイ２０による表示内容に含んだナースコール呼び出しの報知を、ディスプレイ２０およびスピーカ２１に行わせる。
【００７６】
すなわち、スピーカ２１および各携帯端末８から、所定の呼出音が出力される。また、ディスプレイ２０および各携帯端末８にて、図７（ｂ）に示すように、部屋番号（１０２）と、ベッド番号（１０２−１）と、患者名（Ｂさん）と、看護師名（Ｙさん）とを表示内容に含んだ呼出画面が表示される。
【００７７】
これにより、携帯端末８によってナースコール呼び出しの報知を受けた複数の看護師の各々は、所定の状態が検出された可能性のある患者（Ｂさん）と、その患者の病室（部屋番号：１０２）と、その病室に看護師（Ｙさん）が在室していることを把握することができる。このため、複数の看護師の各々は、これらの情報に基づいて、例えば患者の病状や看護師の経験度等を鑑み、自身がその病室に駆けつけて対応を行うべきか否かを判断することができる。したがって、本変形例によれば、センサー５が所定の状態を検出した際に、報知を受けた医療事業者が対応の必要性を判断して迅速に対応することができる。
【００７８】
なお、上記例において、病室（部屋番号：１０２）に看護師（Ｙさん）が在室していない場合には、ディスプレイ２０および各携帯端末８にて、部屋番号（１０２）と、ベッド番号（１０２−１）と、患者名（Ｂさん）とを表示内容に含んだ呼出画面が表示される。すなわち、看護師名は表示されない。この場合、複数の看護師の各々は、その病室（部屋番号：１０２）に看護師が在室していないことを把握することができる。これにより、複数の看護師の各々は、自身がその病室に駆けつけて対応を行うべきであると判断することができる。
【００７９】
なお、上記実施形態では、センサー５として、マットセンサーを用いているが、本発明はこれに限らない。例えば、センサー５として、患者の位置を検出する超音波センサまたはドップラーセンサ、患者の声を検出する音圧センサ、患者による接触を検知するタッチセンサ等を用いることもできる。要するに、センサー５は、看護師の所定の状態を誤って検知し得るものであればどのようなものであってもよい。
【００８０】
また、上記実施形態では、所定の状態を検出したセンサー５に対応する複数の携帯端末８に対し、センサー５が所定の状態を検出したことを、呼出音の出力および呼出画面の表示にて報知するようにしているが、本発明はこれに限らない。例えば、所定の状態を検出したセンサー５に対応する複数の携帯端末８に対し、センサー５が所定の状態を検出したことを、呼出画面の表示のみで報知するようにしてもよい。
【００８１】
その他、上記各実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００８２】
１  ナースコール親機
２  制御機
３  廊下灯
４  壁埋込形子機
５  センサー
６  ハンディナースコール主装置
７  無線基地局
８  携帯端末
９  読取装置
１０  記憶媒体
２０  ディスプレイ
２１  スピーカ
２２  患者情報記憶部
２３  看護師情報記憶部
２４  受信部
２５  報知制御部
２６  報知部
２７  状態記憶部
【図１】
0006577259.tif 000002
【図２】
0006577259.tif 000003
【図３】
0006577259.tif 000004
【図４】
0006577259.tif 000005
【図５】
0006577259.tif 000006
【図６】
0006577259.tif 000007
【図７】
0006577259.tif 000008